(57)【要約】【課題】音楽付き動画の符号化データを用い、音楽のリズム位置に合わせて動画データに含まれているピクチャを正確なタイミングで表示させるスライドショー機能を実現する。【解決手段】音楽付き動画の符号化データを符号化音楽データ及び符号化動画データに分離し、それぞれデコードすると共に、時刻基準参照値を検出しシステム時刻基準時間を発生する機能を有する動画再生装置１００において、音楽データ内のリズムパターンのリズム位置を検出するリズム位置検出手段５２１と、音楽時刻情報とリズム位置とからリズム位置時刻情報を算出するリズム時刻算出手段５２２と、動画時刻情報とリズム位置時刻情報とから出画ピクチャを選択すると共に、出画時刻情報をリズム位置時刻情報に変更する出画ピクチャ選択手段５２３とを有し、出画ピクチャをシステム時刻基準時間とリズム位置時刻情報で変更された出画時刻情報とが一致した際に再生出力させる。【選択図】      図８
2008295037.tif 000002
【特許請求の範囲】
【請求項１】
音楽と動画とが同期された音楽付き動画の符号化データを記憶する記憶手段と、
前記記憶手段から読み出した前記符号化データを符号化音楽データ及び符号化動画データに分離し、前記符号化音楽データを音楽データにデコードし、前記符号化動画データをピクチャにデコードすると共に、前記音楽付き動画の符号化データから時刻基準参照値を検出するデコード手段と、
前記デコード手段で検出された前記時刻基準参照値から、システム時刻基準時間を発生するシステム時刻基準時間発生手段と、
を有する音楽と動画とが同期して再生される動画再生装置において、
前記音楽データからリズムパターンを抽出し、そのリズムパターン内の強拍位置をリズム位置として検出するリズム位置検出手段と、
前記音楽データが有する音楽時刻情報と前記リズム位置とからリズム位置時刻情報を算出するリズム時刻算出手段と、
前記ピクチャが有する動画時刻情報と前記リズム位置時刻情報とから、前記リズ
ム位置に対応したピクチャを出画ピクチャとして選択すると共に、前記選択され
た出画ピクチャに付加されている前記動画時刻情報を出画時刻情報とし、前記出画時刻情報を出画時刻情報その出画ピクチャの選択に際して用いた前記リズム位置時刻情報が有する時刻に合致させる出画ピクチャ選択手段と、
を有し、
前記出画ピクチャを、前記システム時刻基準時間と前記リズム位置時刻情報で変更された出画時刻情報とが一致した際に再生出力させることを特徴とする動画再生装置。
【請求項２】
音楽と動画とが同期された音楽付き動画の符号化データを記憶する記憶手段と、
前記記憶手段から読み出した前記音楽付き動画の符号化データを符号化音楽データ及び符号化動画データに分離し、前記符号化音楽データを音楽データにデコードし、前記符号化動画データをピクチャにデコードすると共に、前記音楽付き動画の符号化データから時刻基準参照値を検出するデコード手段と、
前記デコード手段で検出された前記時刻基準参照値から、システム時刻基準時間を発生するシステム時刻基準時間発生手段と、
を有する音楽と動画とが同期して再生される動画再生装置において、
前記音楽データからリズムパターンを抽出し、そのリズムパターン内の強拍位置をリズム位置として検出するリズム位置検出手段と、
前記音楽データが有する音楽時刻情報と前記リズム位置とからリズム位置時刻情報を算出するリズム時刻算出手段と、
前記ピクチャが有する動画時刻情報と前記リズム位置時刻情報とから、前記リズ
ム位置に対応したピクチャを出画ピクチャとして選択すると共に、前記選択され
た出画ピクチャに付加されている出画時刻情報を、その出画ピクチャの選択に際
して用いた前記リズム位置時刻情報に変更する出画ピクチャ選択手段と、
前記外部入力信号に基づき音楽の再生速度を算出する再生速度制御部と、
を有し、
前記再生速度制御部で算出された再生速度に基づき前記音楽時刻情報と前記出画時刻情報とを変更し再生速度を変化させると共に、前記音楽データ及び前記出画ピクチャを、前記システム時刻基準時間と前記再生速度制御部で算出された再生速度に基づき変更した前記音楽時刻情報及び前記出画時刻情報とが一致した際に再生出力させることを特徴とする動画再生装置。
【請求項３】
音楽と動画とが同期された音楽付き動画の符号化データを記憶する記憶手段と、
前記記憶手段から読み出した前記音楽付き動画の符号化データを符号化音楽データ及び符号化動画データに分離し、前記符号化音楽データを音楽データにデコードし、前記符号化動画データをピクチャにデコードすると共に、前記音楽付き動画の符号化データから時刻基準参照値を検出するデコード手段と、
前記デコード手段で検出された前記時刻基準参照値から、システム時刻基準時間を発生するシステム時刻基準時間発生手段と、
を有する音楽と動画とが同期して再生される動画再生装置において、
前記音楽データからリズムパターンを抽出し、そのリズムパターン内の強拍位置をリズム位置として検出するリズム位置検出手段と、
前記音楽データが有する音楽時刻情報と前記リズム位置とからリズム位置時刻情報を算出するリズム時刻算出手段と、
前記ピクチャが有する動画時刻情報と前記リズム位置時刻情報とから、前記リズ
ム位置に対応したピクチャを出画ピクチャとして選択すると共に、前記選択され
た出画ピクチャに付加されている出画時刻情報を、その出画ピクチャの選択に際
して用いた前記リズム位置時刻情報に変更する出画ピクチャ選択手段と、
前記外部入力信号に基づき音楽の再生速度を算出する再生速度制御部と、
を有し、
前記再生速度制御部で算出された前記再生速度と前記システム時刻基準時間とから再生時間基準値を生成し、生成された再生時間基準値を用いて再生速度を変化させると共に、前記出画ピクチャを前記システム時刻基準時間と前記リズム位置時刻情報に変更された出画時刻情報とが一致した際に再生出力させることを特徴とする動画再生装置。
【請求項４】
音楽付き動画の符号化データを記憶手段に記憶させておき、音楽に同期して画像を再生出力させる動画再生方法であって、
前記記憶手段から前記音楽付き動画の符号化データを読み出す第１のステップと、
前記第１のステップで読み出した前記音楽付き動画の符号化データを符号化音楽データと符号化動画データに分離すると共に、前記音楽付き動画の符号化データから時刻基準参照値を検出する第２のステップと、
前記第２のステップで分離した前記符号化音楽データをデコードすると共に、前記第２のステップで分離した前記符号化動画データをデコードする第３のステップと、
前記第３のステップでデコードした前記音楽データからリズムパターンを抽出し、そのリズムパターン内の強拍位置をリズム位置として検出する第４のステップと、
前記第４のステップで検出した前記リズム位置をリズム位置時刻情報に変換する第５のステップと、
前記第３のステップで得られた前記ピクチャと前記リズム位置時刻情報とから、前記リズム位置に対応したピクチャを出画ピクチャとして選択する第６のステップと、
前記第６のステップで選択した出画ピクチャに付加されている出画時刻情報を、前記リズム位置時刻情報に変更する第７のステップと、
前記第３のステップでデコードした音楽データを再生すると共に、前記第７のステップで変更した時刻情報で特定される時刻で、前記第６のステップで選択した出画ピクチャを再生出力させる第８のステップと、
を有することを特徴とする動画再生方法。
【請求項５】
音楽付き動画の符号化データを記憶手段に記憶させておき、音楽に同期して画像を再生出力させると共に、外部入力信号により音楽の再生速度を変化させる動画再生方法であって、
前記記憶手段から前記音楽付き動画の符号化データを読み出す第１のステップと、
前記第１のステップで読み出した音楽付き動画の符号化データを符号化音楽データと符号化動画データに分離すると共に、前記音楽付き動画の符号化データから時刻基準参照値を検出する第２のステップと、
前記第２のステップで分離した前記符号化音楽データをデコードすると共に、前記第２のステップで分離した前記符号化動画データをデコードする第３のステップと、
前記第３のステップでデコードした前記音楽データからリズムパターンを抽出し、そのリズムパターン内の強拍位置をリズム位置として検出する第４のステップと、
前記第４のステップで検出した前記リズム位置をリズム位置時刻情報に変換する第５のステップと、
前記第３のステップで得られた前記ピクチャと前記リズム位置時刻情報とから、前記リズム位置に対応したピクチャを出画ピクチャとして選択する第６のステップと、
前記第６のステップで選択した出画ピクチャに付加されている出画時刻情報を、前記リズム位置時刻情報に変更する第７のステップと、
前記第７のステップで変更した出画ピクチャと前記第３のステップでデコードした音楽データを再生する上でその再生時刻の基準となる再生時刻基準値を、前記符号化音楽データに付加されている出画時刻情報、前記符号化動画データに付加されている出画時刻情報、前記符号化音楽データに付加されている出画時刻情報及び前記符号化動画データに付加されている出画時刻情報のいずれか一以上の情報から作成する第８のステップと、
前記外部入力信号により設定される音楽の再生速度に対応して前記時刻情報を変更し再生時刻基準値を速度制御する第９のステップと、
前記第３のステップでデコードした音楽データを再生すると共に、前記第８のステップで変更した時刻情報で特定される時刻で、前記第６のステップで選択した出画ピクチャを再生出力させる第１０のステップと、
を有することを特徴とする動画再生方法。
【請求項６】
音楽付き動画の符号化データを記憶手段に記憶させておき、音楽に同期して画像を再生出力させると共に、外部入力信号により音楽の再生速度を変化させる動画再生方法であって、
前記記憶手段から前記音楽付き動画の符号化データを読み出す第１のステップと、
前記第１のステップで読み出した前記音楽付き動画の符号化データを符号化音楽データと符号化動画データに分離すると共に、前記音楽付き動画の符号化データから時刻基準参照値を検出する第２のステップと、
前記第２のステップで分離した前記符号化音楽データをデコードすると共に、前記第２のステップで分離した前記符号化動画データをデコードする第３のステップと、
前記第３のステップでデコードした前記音楽データからリズムパターンを抽出し、そのリズムパターン内の強拍位置をリズム位置として検出する第４のステップと、
前記第４のステップで検出した前記リズム位置をリズム位置時刻情報に変換する第５のステップと、
前記第３のステップで得られた前記ピクチャと前記リズム位置時刻情報とから、前記リズム位置に対応したピクチャを出画ピクチャとして選択する第６のステップと、
前記第６のステップで選択した出画ピクチャに付加されている出画時刻情報を、前記リズム位置時刻情報に変更する第７のステップと、
前記符号化音楽データに付加されている出画時刻情報、前記符号化動画データに付加されている出画時刻情報、前記符号化音楽データに付加されている出画時刻情報及び前記符号化動画データに付加されている出画時刻情報のいずれか一以上の情報からシステム時刻基準時間を作成する第８のステップと、
前記外部入力信号により設定される音楽の再生速度に対応して前記第８のステップで作成されたシステム時刻基準時間を変更し再生速度を制御する第９のステップと、
前記第３のステップでデコードした音楽データを再生すると共に、前記第９のステップで変更したシステム時刻基準時間で前記第６のステップで選択した出画ピクチャを再生出力させる第１０のステップと、
を有することを特徴とする動画再生方法。
【発明の詳細な説明】
【技術分野】
【０００１】
本発明は、音楽付き動画の符号化データを用いて、再生される音楽のリズムと動画像中のピクチャの出画タイミングとを正確に合わせたスライドショー機能を実行させる動画再生装置及びその方法に係る。
【背景技術】
【０００２】
従来から、画像表示機能として一定時間毎に静止画を切り換えて連続的に表示させるスライドショー機能があり、例えば、下記特許文献１においては、ＣＤ-ＲＯＭにスライドショー実行プログラムと順序テーブルと画像ファイル群とを記憶させておき、動画再生装置がスライドショー機能実行プログラムを読み込んだ後、順序テーブルに定義された画像ファイルを画像ファイル群から読み出して再生表示させる方式が開示されている。
【０００３】
また、スライドショー機能には、そのエンターテイメント性を向上させるために、ＢＧＭが付加されることがあるが、下記特許文献２においては、画像データを撮影情報と関連づけて記憶させておき、再生対象となる画像群が指定されると、音楽データファイルを格納するデータベースサーバと通信して、指定画像群の撮影情報に基づいてデータベースサーバから音楽データファイルをダウンロードし、スライドショーとして再生される画像に適合した音楽を選択的に再生させるようにした動画再生装置が開示されている。
【０００４】
更に、下記特許文献３には、ユーザの選択によりその場の雰囲気に合った画像と音楽をスライドショーとして再生させる動画再生装置が開示されている。この装置では、画像データと音楽データを解析してそれぞれ特徴量を抽出し、それら特徴量を用いて各画像データと各音楽データを心理情報と物理情報との２軸を用いた感性マップ上にマッピングしておき、ユーザがその感性マップ上から希望する音楽又は画像の事象を選択することにより、音楽と画像とが雰囲気に調和したスライドショーを再生させることが記載されている。
【０００５】
一方、従来から、プロモーションビデオ等では音楽付き動画を利用することが多く、ポータブルオーディオの分野においても動画表示用の液晶表示デバイスを備えたものが普及しつつあり、その高性能化とメモリ容量の飛躍的な増大に伴って、音楽付き動画コンテンツの種類とその供給量は大幅に増えるものと予想される。
【０００６】
そして、下記特許文献４では、音楽データと動画データとが独立に供給される場合に、動画データの再生に際して、動画の再生時間軸を音楽の演奏テンポに応じて制御することにより、動画の再生中に音楽の演奏テンポが変化しても、その演奏テンポに合わせた動画再生が可能となる動画再生装置が提案されている。
【０００７】
【特許文献１】特開２００１−１０３４１５号公報
【特許文献２】特開２００６−１６４２２９号公報
【特許文献３】特開２００５−２０４０２１号公報
【特許文献４】特開２００３−０３０９３２号公報
【発明の開示】
【発明が解決しようとする課題】
【０００８】
ところで、フィットネスクラブ等においてユーザが音楽を聴きながらトレッドミルやエアロバイク（登録商標）等の有酸素運動用器具を使用して、ランニング運動やペダルこぎ運動を行うことが多い。
更に、有酸素運動用器具を用いて運動する際に、音楽に合わせて動画を表示させるようにすれば、より快適な気分で運動スケジュールを消化できるように思われる。しかし、上記特許文献４の動画再生装置ように、音楽の演奏テンポに合わせて時間軸を伸縮しながら動画再生を行う場合、楽曲によっては動画が極めて不自然なものとなり、ユーザが不快感を覚えて運動効果を妨げるような場合もあり得る。即ち、運動のために利用される楽曲はアップテンポなものが多く、動画として目まぐるしく変化すると、動画を添えたことが却って逆効果となる。
【０００９】
これに対して、音楽のリズムに合わせて静止画像を切り替えながら連続的に表示させるスライドショー機能にすると、意外に軽快な印象を与えると共に広い範疇での楽曲の選択が可能となることが経験的に分かっている。
【００１０】
更に、従来の音楽の演奏テンポに合わせ動画再生が可能となる動画再生装置は、音楽データと動画データとが独立に供給されものである。一方、近年では動画データの圧縮技術の向上や、システムの処理速度の向上、データの転送速度の向上により、音声付き動画データコンテンツが増加してきている。
そこで、この音声付き動画データコンテンツに最適なスライドショー機能による音楽と画像とを同期して再生する技術が望まれている。
【００１１】
一般的に音楽付き動画データはＭＰＥＧ（Ｍｏｖｉｎｇ  Ｐｉｃｔｕｒｅ  Ｅｘｐｅｒｔ  Ｇｒｏｕｐ）形式のファイルとして符号化されている。再生機器はこの音楽付き動画の符号化データを符号化された圧縮音源データと符号化された動画データ（映像部分のみのデータ）とに分離し、基準クロックに合わせて音楽データと動画データを再生させる。このとき、音楽データと動画データの両データは、前述の基準クロックに合わせて再生さえさせればきちんと同期するように構成されている。つまり、音楽付き動画の符号化データは音楽と動画とを全体的な流れの中で逐次時間的に対応して符号化されているわけであるが、当然に音楽側のリズムと動画側のピクチャとの出力タイミングが考慮されているわけではない。
従って、例えば、単純なスライドショー機能を実現するのであれば、複数ピクチャの中から数枚毎にピクチャを抽出していくような手法が考えられるが、このようなスライドショー機能で再生すると、音楽側のリズムと動画側のピクチャとの出力タイミングがずれ、不自然な再生となることが考えられる。
【００１２】
そこで、本発明は、音楽付き動画の符号化データを用い、音楽のリズムが刻まれるタイミングに合わせて動画データに含まれているピクチャをスライドショー機能で表示させることが可能な動画再生装置及びその方法を提供することを目的とする。
【課題を解決するための手段】
【００１３】
上記の目的を達成するために、本発明は、次の１）乃至６）の構成及び手順を有する。
１）音楽と動画とが同期された音楽付き動画の符号化データを記憶する記憶手段１３と、記憶手段１３から読み出した音楽付き動画の符号化データを符号化音楽データ及び符号化動画データに分離し、符号化音楽データを音楽データにデコードし、符号化動画データをピクチャにデコードすると共に、音楽付き動画の符号化データから時刻基準参照値を検出するデコード手段２３と、デコード手段２３で検出された時刻基準参照値から、システム時刻基準時間を発生するシステム時刻基準時間発生５１１とを有する音楽と動画とが同期して再生される動画再生装置１００において、音楽データからリズムパターンを抽出し、そのリズムパターン内の強拍位置をリズム位置として検出するリズム位置検出手段５２１と、音楽データが有する音楽時刻情報とリズム位置とからリズム位置時刻情報を算出するリズム時刻算出手段５２２と、ピクチャが有する動画時刻情報とリズム位置時刻情報とから、リズム位置に対応したピクチャを出画ピクチャとして選択すると共に、選択された出画ピクチャに付加されている出画時刻情報を、その出画ピクチャの選択に際して用いたリズム位置時刻情報に変更する出画ピクチャ選択手段５２３とを有し、出画ピクチャを、システム時刻基準時間とリズム位置時刻情報で変更された出画時刻情報とが一致した際に再生出力させることを特徴とする動画再生装置１００。
２）音楽と動画とが同期された音楽付き動画の符号化データを記憶する記憶手段１３と、記憶手段１３から読み出した音楽付き動画の符号化データを符号化音楽データ及び符号化動画データに分離し、符号化音楽データを音楽データにデコードし、符号化動画データをピクチャにデコードすると共に、音楽付き動画の符号化データから時刻基準参照値を検出するデコード手段２３と、デコード手段２３で検出された時刻基準参照値から、システム時刻基準時間を発生するシステム時刻基準時間発生５１１とを有する音楽と動画とが同期して再生される動画再生装置１００において、音楽データからリズムパターンを抽出し、そのリズムパターン内の強拍位置をリズム位置として検出するリズム位置検出手段５２１と、音楽データが有する音楽時刻情報とリズム位置とからリズム位置時刻情報を算出するリズム時刻算出手段５２２と、ピクチャが有する動画時刻情報とリズム位置時刻情報とから、リズム位置に対応したピクチャを出画ピクチャとして選択すると共に、選択された出画ピクチャに付加されている出画時刻情報を、その出画ピクチャの選択に際して用いたリズム位置時刻情報に変更する出画ピクチャ選択手段５２３と外部入力信号に基づき音楽の再生速度を算出する再生速度制御部５３２とを有し、再生速度制御部５３２で算出された再生速度に基づき音楽時刻情報と出画時刻情報とを変更し再生速度を変化させると共に、音楽データ及び出画ピクチャを、システム時刻基準時間と再生速度制御部５３２で算出された再生速度に基づき変更した音楽時刻情報及び出画時刻情報とが一致した際に再生出力させることを特徴とする動画再生装置１００。
３）音楽と動画とが同期された音楽付き動画の符号化データを記憶する記憶手段１３と、記憶手段１３から読み出した音楽付き動画の符号化データを符号化音楽データ及び符号化動画データに分離し、符号化音楽データを音楽データにデコードし、符号化動画データをピクチャにデコードすると共に、音楽付き動画の符号化データから時刻基準参照値を検出するデコード手段２３と、デコード手段２３で検出された時刻基準参照値から、システム時刻基準時間を発生するシステム時刻基準時間発生手段５１１とを有する音楽と動画とが同期して再生される動画再生装置１００において、前記音楽データからリズムパターンを抽出し、そのリズムパターン内の強拍位置をリズム位置として検出するリズム位置検出手段５２１と、音楽データが有する音楽時刻情報とリズム位置とからリズム位置時刻情報を算出するリズム時刻算出手段と５２２、ピクチャが有する動画時刻情報とリズム位置時刻情報とから、リズム位置に対応したピクチャを出画ピクチャとして選択すると共に、選択された出画ピクチャに付加されている出画時刻情報を、その出画ピクチャの選択に際して用いたリズム位置時刻情報に変更する出画ピクチャ選択手段５２３と、外部入力信号に基づき音楽の再生速度を算出する再生速度制御部５３３とを有し、再生速度制御部５３３で算出された再生速度とシステム時刻基準時間とから再生時間基準値を生成し、生成された再生時間基準値を用いて再生速度を変化させると共に、出画ピクチャをシステム時刻基準時間とリズム位置時刻情報に変更された出画時刻情報とが一致した際に再生出力させることを特徴とする動画再生装置１００。
４）音楽付き動画の符号化データを記憶手段１３に記憶させておき、音楽に同期して画像を再生出力させる動画再生方法であって、記憶手段１３から音楽付き動画の符号化データを読み出す第１のステップと、第１のステップで読み出した音楽付き動画の符号化データを符号化音楽データと符号化動画データに分離すると共に、音楽付き動画データから時刻基準参照値を検出する第２のステップと、第２のステップで分離した前記符号化音楽データをデコードすると共に、第２のステップで分離した符号化動画データをデコードする第３のステップと、第３のステップでデコードした音楽データからリズムパターンを抽出し、そのリズムパターン内の強拍位置をリズム位置として検出する第４のステップと、第４のステップで検出したリズム位置をリズム位置時刻情報に変換する第５のステップと、第３のステップで得られたピクチャとリズム位置時刻情報とから、リズム位置に対応したピクチャを出画ピクチャとして選択する第６のステップと、第６のステップで選択した出画ピクチャに付加されている出画時刻情報を、リズム位置時刻情報に変更する第７のステップと、第３のステップでデコードした音楽データを再生すると共に、第７のステップで変更した時刻情報で特定される時刻で、第６のステップで選択した出画ピクチャを再生出力させる第８のステップとを有することを特徴とする動画再生方法。
５）音楽付き動画の符号化データを記憶手段１３に記憶させておき、音楽に同期して画像を再生出力させると共に、外部入力信号により音楽の再生速度を変化させる動画再生方法であって、記憶手段１３から音楽付き動画の符号化データを読み出す第１のステップと、第１のステップで読み出した音楽付き動画の符号化データを符号化音楽データと符号化動画データに分離すると共に、音楽付き動画の符号化データから時刻基準参照値を検出する第２のステップと、第２のステップで分離した符号化音楽データをデコードすると共に、第２のステップで分離した符号化動画データをデコードする第３のステップと、第３のステップでデコードした音楽データからリズムパターンを抽出し、そのリズムパターン内の強拍位置をリズム位置として検出する第４のステップと、第４のステップで検出したリズム位置をリズム位置時刻情報に変換する第５のステップと、第３のステップで得られたピクチャとリズム位置時刻情報とから、リズム位置に対応したピクチャを出画ピクチャとして選択する第６のステップと、第６のステップで選択した出画ピクチャに付加されている出画時刻情報を、リズム位置時刻情報に変更する第７のステップと、第７のステップで変更した出画ピクチャと第３のステップでデコードした音楽データを再生する上でその再生時刻の基準となる再生時刻基準値を、符号化音楽データに付加されている出画時刻情報、符号化動画データに付加されている出画時刻情報、符号化音楽データに付加されている出画時刻情報及び符号化動画データに付加されている出画時刻情報のいずれか一以上の情報から作成する第８のステップと、外部入力信号により設定される音楽の再生速度に対応して時刻情報を変更し再生時刻基準値を速度制御する第９のステップと、第３のステップでデコードした音楽データを再生すると共に、第８のステップで変更した時刻情報で特定される時刻で、第６のステップで選択した出画ピクチャを再生出力させる第１０のステップとを有することを特徴とする動画再生方法。
６）音楽付き動画の符号化データを記憶手段１３に記憶させておき、音楽に同期して画像を再生出力させると共に、外部入力信号により音楽の再生速度を変化させる動画再生方法であって、記憶手段１３から音楽付き動画の符号化データを読み出す第１のステップと、第１のステップで読み出した音楽付き動画の符号化データを符号化音楽データと符号化動画データに分離すると共に、音楽付き動画の符号化データから時刻基準参照値を検出する第２のステップと、第２のステップで分離した符号化音楽データをデコードすると共に、第２のステップで分離した符号化動画データをデコードする第３のステップと、第３のステップでデコードした音楽データからリズムパターンを抽出し、そのリズムパターン内の強拍位置をリズム位置として検出する第４のステップと、第４のステップで検出したリズム位置をリズム位置時刻情報に変換する第５のステップと、第３のステップで得られたピクチャとリズム位置時刻情報とから、リズム位置に対応したピクチャを出画ピクチャとして選択する第６のステップと、第６のステップで選択した出画ピクチャに付加されている出画時刻情報を、リズム位置時刻情報に変更する第７のステップと、符号化音楽データに付加されている出画時刻情報、符号化動画データに付加されている出画時刻情報、符号化音楽データに付加されている出画時刻情報及び符号化動画データに付加されている出画時刻情報のいずれか一以上の情報からシステム時刻基準時間を作成する第８のステップと、外部入力信号により設定される音楽の再生速度に対応して第８のステップで作成されたシステム時刻基準時間を変更し再生速度を制御する第９のステップと、第３のステップでデコードした音楽データを再生すると共に、第９のステップで変更したシステム時刻基準時間で第６のステップで選択した出画ピクチャを再生出力させる第１０のステップとを有することを特徴とする動画再生方法。
【発明の効果】
【００１４】
本発明の動画再生装置及びその方法は、以上の構成及び手順を有していることにより、次のような効果を奏する。
多数の音楽付き動画の符号化コンテンツが供給されている現状に鑑みて、音楽付き動画の符号化データを用い、音楽のリズム位置に合わせて動画データに含まれているピクチャを正確なタイミングで表示させるスライドショー機能を実現する。
また、音楽の再生速度が可変制御する場合においても、同様の機能を持たせることができ、フィットネスクラブの有酸素運動用器具等に付属させて、運動者に対して快適に予定の運動スケジュールを消化させることを可能にする。
【発明を実施するための最良の形態】
【００１５】
以下、本発明の動画再生装置及びその方法の実施形態を図面に基づいて詳細に説明する。
図１は、本発明の実施形態に係る動画再生装置及び動画表示装置の外観図である。図２は、本発明の動画再生装置の利用形態として、エアロバイク（登録商標）に付属させた場合を示す図である。図３は、本発明の携帯型動画再生装置（再生ユニット）のシステム回路図である。図４は、本発明の再生ユニットの外観図である。図５は、本発明の第１の実施例における再生ユニット内のデータの流れを示すブロック図である。図６は、本発明の第１の実施例における再生ユニットのスライドショー機能でのデータ処理手順を示すフローチャートである。図７は、本発明の圧縮音源データの信号波形におけるリズム位置を示すと共に、そのリズム位置の時刻情報を算出する場合の参考図である。図８は、本発明の出画ピクチャの選択とＰＴＳ情報の書き換えに係る参考図である。図９は、本発明の再生ユニットにおけるスライドショー機能での再生速度設定手順を示すフローチャートである。図１０は、本発明の再生ユニットが格納している運動スケジュールテーブルと再生速度算出用テーブルの内容を示すグラフである。図１１は、本発明の第２の実施例における再生ユニット内のデータの流れを示すブロック図である。図１２は、本発明の第２の実施例の再生ユニットにおけるスライドショー機能での再生速度が変更された際の出画ピクチャの選択とＰＴＳ情報の書き換えに係る参考図である。図１３は、本発明の第２の実施例における再生ユニットにおけるスライドショー機能でのデータ処理手順を示すフローチャートである。図１４は、本発明の第３の実施例における再生ユニット内のデータの流れを示すブロック図である。図１５は、本発明の第３の実施例の再生ユニットにおけるスライドショー機能での再生速度が変更された際の出画ピクチャの選択と出画ピクチャの出力に係る参考図である。図１６は、本発明の第３の実施例の再生ユニットにおけるスライドショー機能でのデータ処理手順を示すフローチャートである。
【００１６】
図１に示すように、携帯型動画再生装置（以下、「再生ユニット」と言う）１００は、ケーブル１５０によりディスプレイユニット２００に接続されている。
ここで、再生ユニット１００は、後述するように、音楽付き動画の符号化データを記憶装置に記録し、その記録データをデコードして得られる動画信号をケーブル１５０からディスプレイユニット２００へ出力させると共に、デコードした音楽信号をイヤホン１６０に出力させる。
一方、ディスプレイユニット２００は再生ユニット１００を載置するテーブル部２０１と液晶表示部２０２とからなり、再生ユニット１００から入力される動画を液晶表示部２０２に表示させる。
【００１７】
また、この再生ユニット１００には心拍測定センサ１７０の検出信号が入力できるようになっている。
そして、この再生ユニット１００は、前記のようにディスプレイユニット２００と組み合わせて使用するだけでなく、単独の携帯型音楽再生機器としてエクササイズ-ランニング（ウォーキング）に利用することもできる。
即ち、運動者が再生ユニット１００をベルトに掛け止める等の方法で携帯し、心拍測定センサ１７０を身体の脈拍検出部位に直接取り付けると共に、イヤホン１６０を耳に装着した状態で、イヤホン１６０から音楽を聴きながらランニングやウォーキングを行う。その場合、運動者は再生される楽曲のリズムに合わせてランニング等を行うが、再生ユニット１００は予め運動スケジュールに沿って設定した基準心拍数と運動者の実際の心拍数との差分に応じて再生楽曲のリズムを制御するようになっており、その機能により運動者に理想的な運動負荷を与えることができる。
【００１８】
この実施形態では、動画再生装置の好適な利用形態として、図２に示すようにフィットネスクラブ等のエアロバイク（登録商標）３００と組み合わせて利用する場合について説明する。
この場合、エアロバイク（登録商標）３００の両ハンドル部の間にはディスプレイユニット２００が設置されており、運動者（ユーザ）４００は音楽付き動画の符号化データを予め再生ユニット１００に収録させておき、それをディスプレイユニット２００とケーブル１５０で接続させた状態でテーブル部２０１に載置する。そして、運動者４００がイヤホン１６０と心拍測定センサ１７０を装着する点では前述した再生ユニット１００を単独で利用する場合と同様であるが、この場合は運動者４００がイヤホン１６０から音楽を聴きながらペダルこぎ運動を行い、同時にディスプレイユニット２００の液晶表示部２０２に表示される画像も見ることができる点が異なる。
尚、後述するように、再生ユニット１００は、この用途においてはスライドショー機能に設定され、再生される音楽のリズムに合わせて動画データ中のピクチャが静止画として順次表示され、運動者４００は音楽のリズムだけでなく、ピクチャの切り替わりによる視覚的なリズムも感じ取りながらペダルこぎ運動を行う。
【００１９】
次に、再生ユニット１００のシステム回路を図３に示す。
再生ユニット１００のシステム回路は、システム制御プログラムを格納したＲＯＭ１１と、各種管理データを格納していると共にアップデートされる各種データをセーブするＲＡＭ１２と、記憶装置としてＭＰＥＧ形式で符号化された音楽付き動画データを格納するストレージ１３と、音楽付き動画の符号化データを符号化圧縮音源データストリームと符号化圧縮動画データストリームに分離するＤｅｍｕｘモジュール１４と、Ｄｅｍｕｘモジュール１４で分離された符号化圧縮音源データストリームをデコードするオーディオデコード部１５と、Ｄｅｍｕｘモジュール１４で分離された符号化圧縮動画データストリームをデコードするビデオデコード部１６と、操作部１７及びその操作信号の入力インターフェイス１７ａと、心拍測定センサ１７０の信号入力用コネクタ１８及びその信号の入力インターフェイス１８ａと、ビデオ出力用コネクタ１９及びビデオ出力インターフェイス１９ａと、オーディオ出力用コネクタ２０及びその出力インターフェイス２０ａと、データ入力用コネクタ２１及びその入力インターフェイス２１ａと、ビデオ出力インターフェイス１９ａに接続されている液晶表示部２２と、バスに接続された各回路要素を制御するためのＣＰＵ１０とを有している。
ここで、Ｄｅｍｕｘモジュール１４と、オーディオデコード部１５と、ビデオデコード部１６とは、デコーダ２３のサブセットである。
【００２０】
図４は、前記再生ユニット１００の外観を示す。同図に示すように、筐体の前面には液晶表示部２２と操作部１７が配置されていると共に、筐体の上側壁面にはイヤホン１６０と心拍測定センサ１７０とディスプレイユニット２００とを接続ケーブルによりそれぞれ接続するためのコネクタ２０，１８，１９が設けられており、右側壁面にはデータ入力用コネクタ２１も設けられている。
また、液晶表示部２２は３つの表示エリア３１，３２，３３に分かれており、エリア３１には心拍測定センサ１７０から得られる運動者４００のリアルタイムな心拍数とＲＡＭ１２の運動スケジュールテーブルに基づいて求められる基準心拍数が表示され、エリア３２には前記各心拍数の差分から求められるリズム情報と現在選択中の楽曲の固有リズム情報とが表示され、エリア３３には現在選択中の曲名と再生の進行状態が表示されるようになっている。
一方、操作部１７には、楽曲再生の開始／停止やスキップ等を指示するための動作指示部３５と、各種処理モードの選択と決定／キャンセルや心拍数とリズム情報の増減と決定を指示入力するための情報入力部３６とが設けられている。
【００２１】
尚、ストレージ１３の音楽付き動画の符号化データは、前記再生ユニット１００のデータ入力用コネクタ２１にフィットネスクラブが運用する運動管理システムのデータ出力インターフェイスに接続させてダウンロードさせたものである。また、その際には、楽曲リストと共に後述する運動スケジュールテーブルと再生速度算出用テーブルとからなる管理データもダウンロードされてＲＡＭ１２に格納される。
【００２２】
(実施例１)
ここで、心拍測定センサ１７０を用いない場合のスライドショー機能による動画表示装置について説明する。
図５は、再生ユニット１００のシステム回路における、データの流れを示す図であり、実際にストレージ１３から読み込まれた音楽付き動画の符号化データが、デコーダ２３のサブセットであるＤｅｍｕｘモジュール１４、オーディオデコード部１５及びビデオデコード部１６において音声データと動画データに分けられると共に、それぞれデコードされ、オーディオ出力Ｉ／Ｆ ２０ａ および ビデオ出力Ｉ／Ｆ １９ａ から出力されるまでのデコーダ２３でのデータの流れ及びデータ参照方向と、ＣＵＰ１０からの制御信号の方向を示した図である。
【００２３】
ここで、デコーダ２３内のＤｅｍｕｘモジュール１４は、ストレージ１３から読み込まれた音楽付き動画の符号化データを符号化圧縮音源データストリーム及び符号化圧縮動画ストリームに分離し出力すると共に、音声付き動画データからＳＣＲ（システム時刻基準参照値：Ｓｙｓｔｅｍ  Ｃｌｏｃｋ  Ｒｅｆｅｒｅｎｃｅ）及びＰＣＲ（プログラム時刻基準参照値：Ｐｒｏｇｒａｍ  Ｃｌｏｃｋ  Ｒｅｆｅｒｅｎｃｅ）を検出し出力をするものである。
また、デコーダ２３内のオーディオデコード部１５は、入力した符号化圧縮音声信号をデコードすると共にＰＴＳ（提示時刻:Ｐｒｅｓｅｎｔａｔｉｏｎ  Ｔｉｍｅ  Ｓｔａｍｐ）情報を検出するオーディオデコーダ５０１と、オーディオデコーダ５０１でデコードされたデジタル音声信号をバッファリングするオーディオバッファ５０２と、オーディオバッファ５０２から出力したデジタル音声信号をアナログ音声信号に変換するオーディオＤ／Ａ回路（ＡＤＡ回路）５０３とを有する。
更に、デコーダ２３内のビデオデコード部１６は、入力した符号化圧縮動画信号をデコードするビデオデコーダ５０４と、ビデオデコーダ５０４でデコードされた動画ピクチャをバッファリングするビデオバッファ５０５と、ビデオバッファ５０５から出力したデジタル動画信号をアナログ動画信号に変換するビデオＤ／Ａ回路（ＶＤＡ回路）５０６とを有する。
以下、ＰＴＳ情報をＰＴＳの時刻と同義で用いる場合がある。
【００２４】
また、デコーダは、ＳＴＣ（システム時刻基準時間：Ｓｙｓｔｅｍ  Ｔｉｍｅ  Ｃｌｏｃｋ）を発生させるＳＴＣ発生部５１１を有する。このＳＴＣ発生部５１１は、自らクロック発生器を保持しており、他のモジュールの動作に関係なく一定の間隔でクロックを刻むことが出来るものである。このＳＴＣ発生器５１１のクロック加算動作によって、ＳＴＣ値が加算されていくものである。なお、このＳＴＣ値は、Ｄｅｍｕｘモジュール１４から出力されたＳＣＲ，ＰＣＲ及びオーディオデコーダ５０１から出力されたＰＴＳ情報のいずれか一つ以上から値を初期化される。
ここでＳＴＣとは、マルチメディアの符号化に用いられるＭＰＥＧにおいて、映像と音声を同期再生するためのシステムの基準クロックのことである。
以下説明のため、ＳＴＣに関連する値について次のように定義する。ＳＴＣ値とは、ある瞬間のＳＴＣの値のことである。また、ＳＴＣのクロック速度とは、所定のＳＴＣ値間におけるＳＴＣの更新速度のことで、ＳＴＣのクロック速度が速いとは、ＳＴＣ値の更新が早いことであり、ＳＴＣのクロック速度が遅いとは、ＳＴＣ値の更新が遅いことである。
尚、ＡＤＡ回路５０３とＶＤＡ回路５０６とは、それぞれオーディオデコード部１５とビデオデコード部１６とにある必要は無く、外部に独立して配設されても良い。
【００２５】
更に、ＣＰＵ１０は、オーディオデコーダ５０１から出力されたデジタル音声信号を解析することでリズム位置を検出するリズム位置検出部５２１と、リズム位置検出部５２１で検出されたリズム位置情報とオーディオデコーダ５０１で検出されたＰＴＳ情報とからリズム位置時刻情報を算出するリズム時刻算出部５２２と、ビデオデコーダ５０４から出力された動画ピクチャから読み出したピクチャフレームのそれぞれの位置のＰＴＳ情報及びリズム時刻算出部５２２で算出されたリズム位置時刻情報に基づき動画ピクチャからリズム位置に最も近いピクチャを切り出す機能及びピクチャのＰＴＳ情報をピクチャ選択に使用したリズム位置時刻情報に書き換える機能を持つ出画ピクチャ選択部５２３とを有する。
【００２６】
次に、ストレージ１３から読み出された音楽付き動画の符号化データがオーディオ出力Ｉ／Ｆ ２０ａ および ビデオ出力Ｉ／Ｆ １９ａ から出力されるまでのデータの流れについて図６をあわせ用いて説明する。
先ず、運動者４００が再生ユニット１００の操作部１７からスライドショー機能を設定した後に、再生開始指示を行うと、ＣＰＵ１０はＲＯＭ１１のスライドショー機能でのプログラムに基づいた音楽と画像の再生を開始する（Ｓ１）。
【００２７】
後述のデコード出力状態に応じてストレージ１３から音楽付き動画の符号化データのストリームが順次読み出される（Ｓ２）。
音楽付き動画の符号化データは、  Ｄｅｍｕｘモジュール１４によって音声データと動画データとに切り分けられそれぞれ符号化圧縮音源データストリームと符号化圧縮動画データストリームとして出力される（Ｓ３）。
更に、Ｄｅｍｕｘモジュール１４では、ＳＣＲ，ＰＣＲを検出する。
このときＳＴＣ発生部５１１では、Ｄｅｍｕｘモジュール１４で検出されたＳＣＲ及びＰＣＲのいずれか一つ以上から、ＳＴＣ値を初期化する。
【００２８】
Ｄｅｍｕｘモジュール１４から出力された符号化圧縮音源データストリームは、オーディオデコーダ５０１においてデコードされデジタル音源ストリームとして出力され、オーディオバッファに５０２に送られる。オーディオデコーダ５０１では、デジタル音源ストリームを出力すると共に、デジタル音源ストリームの構成する再生単位であるアクセスユニットを格納するＰＥＳのヘッダ（ＰＥＳヘッダ）に記述されているＰＴＳ情報を読み出す（Ｓ４）。
ここで、ＰＥＳとは、Ｐａｃｋｅｔｉｚｅｄ  Ｅｌｅｍｅｎｔａｒｔｙ  Ｓｔｒｅａｍの略であり、マルチメディアの符号化に用いられるＭＰＥＧ２において、圧縮データにヘッダ情報を付加し、パケット化したものである。なお、ＭＰＥＧ１の場合は、ＭＰＥＧ２のＰＥＳに相当するものはパケットであり、符号化圧縮音源データストリームがＭＰＥＧ１によって構成されている場合は、ＰＥＳヘッダの代わりにパケット内のヘッダを用いる。
【００２９】
オーディオデコーダ５０１から出力されたデジタル音源ストリームは、リズム位置検出部５２１において音楽特徴量抽出アルゴリズムを用いて解析され、リズム位置が検出される（Ｓ５）。
ここで、音楽特徴量抽出アルゴリズムとしては、例えば、拍節的リズムや定量リズムや自由リズム等の各種リズムに係る音楽信号の類型パターンを記憶させておき、実際の音楽信号との類似性を比較することでリズムパターンを抽出し、そのパターン内の強拍位置をリズム位置として求める方法等を利用することができる。
【００３０】
次に、リズム位置検出部５２１で検出されたリズム位置情報とオーディオデコーダ５０１で検出されたＰＴＳ情報はリズム時刻算出部５２２入力し、それぞれのリズム位置のリズム位置時刻情報が算出され（Ｓ６）、算出されたリズム位置時刻情報はＲＡＭ１２に記憶される。
具体的には、オーディオデコーダ５０１で検出されたＰＴＳ情報は一定時間に区切られた各アクセスユニットの先頭を含むＰＥＳのＰＥＳヘッダに付加されている。
一例として、１アクセスユニットにリズム位置が1つある場合について図７に示す、デジタル音源データ上でアクセスユニット（ＡＵ１，ＡＵ２）に付加されたＰＴＳの位置をＰ１，Ｐ２とし、それぞれの位置でのＰＴＳ情報をそれぞれｐ１，ｐ２とした場合、検出されたデジタル音源データのリズム位置をＡ，Ｂとすると、リズム位置Ａでのリズム位置時刻情報ｒｔ１は、｜Ａ−Ｐ１｜:｜Ａ−Ｐ２｜＝（ｒｔ１−ｐ１）:（ｐ２−ｒｔ１）を満たす値として算出される。
【００３１】
一方、Ｄｅｍｕｘモジュール１４から出力された符号化圧縮動画データストリームは、ビデオデコーダ５０４においてデコードされ動画ピクチャとして出力される（Ｓ７）。
ビデオデコーダ５０４では、動画ピクチャをデコードすると共に、各ピクチャのＰＴＳ情報が検出される（Ｓ８）。
【００３２】
ＲＡＭ１２に記憶されたリズム位置時刻情報と、ビデオデコーダ５０４で検出された各ピクチャ位置とその位置でのＰＴＳ情報とを比較することにより、そのリズム位置時刻情報に最も近いＰＴＳ情報を持つピクチャを選択する。選択されたピクチャのＰＴＳ情報をリズム位置時刻情報に書き換え出画ピクチャとする。（Ｓ９）
【００３３】
次に、選択した出画ピクチャ以外のピクチャは廃棄され、出画ピクチャだけからなるスライド動画ピクチャストリームが再構成され、ビデオバッファ５０５に送られる（Ｓ１０）。
オーディオバッファ５０２及びビデオバッファ５０５において、ＰＴＳ情報とＳＴＣ発生器５１１で生成されたＳＴＣ値とが一致した際にデジタル音源ストリームとスライド動画ピクチャストリームを同期させて出力する（Ｓ１１）。
【００３４】
ここで、出画ピクチャの選択方法を図８に示す。
図８（Ａ）には、デジタル音源ストリームのリズム位置Ａのリズム位置時刻情報ｒｔ１と、リズム位置Ｂのリズム位置時刻情報をｒｔ２とを示している。図８（Ｂ）には、動画ピクチャにおけるリズム位置Ａの直前からリズム位置Ｂの直後までのピクチャ１〜７を示している。ピクチャ１〜７のＰＴＳ情報は、それぞれｔ１〜ｔ７とする。
このときリズム位置時刻情報ｒｔ１は、ピクチャのＰＴＳ情報ｔ２とｔ３との間にあり、リズム位置時刻情報ｒｔ２は、ピクチャのＰＴＳ情報ｔ６とｔ７との間にある。リズム位置時刻情報ｒｔ１に対してのＰＴＳ情報ｔ２，ｔ３のそれぞれの時間差の絶対値を見ると、Δｔ２（＝ｒｔ１−ｔ２）＞Δｔ３（＝ｔ３−ｒｔ１）である。また、リズム位置時刻情報ｒｔ２に対してのＰＴＳ情報ｔ６，ｔ７のそれぞれの時間差の絶対値は、Δｔ６（＝ｒｔ２−ｔ６）＞Δｔ７（＝ｔ７−ｒｔ２）である。
そこで、それぞれｒｔ１，ｒｔ２に対して時間差の絶対値が小さいピクチャ３，６を出画ピクチャとして選択する。
また、他のピクチャ１，２，４，５，７は破棄されて、ピクチャ・・・，３，６，・・・からなるスライド動画ピクチャストリームが再構成される。
更に、それらピクチャ３，６の本来のＰＴＳ情報であるｔ３，ｔ６をｒｔ１，ｒｔ２に書き換えることにより、デジタル音源ストリームのリズム位置に同期してピクチャが表示することができる。
【００３５】
その結果、オーディオバッファ５０２にはデコードされたデジタル音源ストリームが書き込まれており、ビデオバッファ５０５には選択されＰＴＳ情報が書き換えられた出画ピクチャが書き込まれており、その書き換え後のＰＴＳ情報はデジタル音源ストリームのリズム位置の時刻に相当するものになっている。
【００３６】
ところで、バッファでは、ＳＴＣ値と各ストリームのＰＴＳ情報とを比較し、ＳＴＣ値とＰＴＳ情報とが一致したときにバッファから音声及び映の出力を開始する。
すなわち、本実施例においては、オーディオバッファ５０２及びビデオバッファ５０５に蓄積されているデジタル音源ストリーム及びスライド動画ピクチャストリームは、ＳＴＣ発生器５１１で生成されたＳＴＣ値とデジタル音源ストリーム及びスライド動画ピクチャストリームのＰＴＳ情報とが一致したときに出力され、各Ｄ／Ａ回路（５０３，５１３）でＤ／Ａ変換されて、それぞれオーディオ出力インターフェイス２０ａとビデオ出力インターフェイス１９ａへ出力される。
【００３７】
従って、再生する音楽が本来もつ再生速度で、その音楽のリズム位置に合わせて動画ピクチャ中から選択されたピクチャを表示させることができるスライドショー機能が実現できた。
【００３８】
（実施例２) 
次に、心拍測定センサ１７０からの心拍数のデータに基づき再生速度を制御する場合のスライドショー機能による動画表示装置について説明する。
【００３９】
まず、心拍数のデータを用いて再生する音楽の再生速度を変更する方法について図９及び図１０を用いて説明する。
図９のフローチャートに示すように、運動者４００が再生ユニット１００の操作部１７からスライドショー機能の設定と再生開始指示を行うと、ＣＰＵ１０はタイマのカウントを開始させる。（Ｓ２１）
再生開始が指示されると、ＣＰＵ１０は、直ちにＲＡＭ１２に格納されている図１０（Ａ）に示す運動スケジュールテーブルを読み出し、運動スケジュールテーブルを参照して、時間ｔ＝０における基準心拍数Ｖｓ（０）を求める（Ｓ２２）。
【００４０】
ここで、運動スケジュールテーブルは、ユーザが要望した運動スケジュールに応じて設定された時間ｔと基準心拍数Ｖｓ（ｔ）との関係を規定したテーブルであり、例えば、図１０（Ａ）に示すように、基準心拍数Ｖｓ（ｔ）が初期値Ｖｓ（０）から時間の経過に伴って除々に上昇し、所定時間後にほぼ一定値になり、その状態が一定時間だけ継続した後、除々に下降して所定時間後に前記初期値Ｖｓ（０）と同一値へ戻るような関係で規定されている。
この場合、運動開始時ではタイマのカウント値ｔが０であるため、基準心拍数はＶｓ（０）として求められる。
【００４１】
次に、ＣＰＵ１０は、運動開始時に心拍測定センサ１７０から入力されている測定心拍数Ｖｍ（０）を検出して（Ｓ２３）、基準心拍数Ｖｓ（０）との差分であるΔＶ（０）＝Ｖｓ（０）−Ｖｍ（０）を演算する（Ｓ２４）。
【００４２】
次に、音楽の再生速度Ｒｖ（ｉ）を求める。
まず、運動開始時の音楽の再生速度は、ｉ＝０としてＲｖ（０）である（Ｓ２５）。
Ｒｖ（０）は、ＲＡＭ１２に格納されている図１０（Ｂ）に示す再生速度算出用テーブルを読み出して、差分ΔＶ（０）に対応する再生速度Ｒｖ（０）から求められる（Ｓ２６）。
再生速度Ｒｖ（０）が求められると、ＣＰＵ１０は、再生速度Ｒｖ（０）を各デコード部１５，１６のバッファメモリ５０２，５１２から圧縮音源データと選択出画ピクチャを読み出す速度として設定する（Ｓ２７）。
【００４３】
図１０（Ｂ）に示す再生速度算出用テーブルは、差分ΔＶ（ｔ）＝Ｖｓ（ｔ）−Ｖｍ（ｔ）と再生速度Ｒｖ（ｉ）の関係を規定したものであり、差分ΔＶ（ｔ）が正側に大きくなれば（基準心拍数Ｖｓ（ｔ）より測定心拍数Ｖｍ（ｔ）が小さい場合）再生速度Ｒｖ（ｉ）を速くし、逆に差分ΔＶ（ｔ）が負側に大きくなれば（基準心拍数Ｖｓ（ｔ）より測定心拍数Ｖｍ（ｔ）が大きい場合）再生速度Ｒｖ（ｉ）を遅くする傾向で規定されている。
ここでは、初期段階での前記差分ΔＶ（ｔ）の絶対値は小さな値に収まっているため、ほぼニュートラル状態での再生速度Ｒｖ（０）となる。
【００４４】
従って、運動者４００は、再生速度Ｒｖ（ｉ）に応じて読み出される圧縮音源データによる再生音楽のリズムに合わせて、図２のようにエアロバイク（登録商標）３００でペダルこぎ運動を続けることになるが、当然に運動者４００心拍数は上昇してゆく。
ここで、図１０（Ａ）の運動スケジュールテーブルはその心拍数の上昇を想定して時間ｔと基準心拍数Ｖｓ（ｔ）の関係を規定しているが、運動者４００は、スケジュールどおりの運動を実行しているつもりであっても、ユーザの実際の心拍数である測定心拍数Ｖｍ（ｔ）が基準心拍数Ｖｓ（ｔ）の変化に対応して変化しているとは限らない。
【００４５】
この実施形態では、一定時間Δｔ毎（例えば、５ｓｅｃ毎）に運動開始時からの経過時間ｔを確認してＲＡＭ１２の運動スケジュールテーブルから基準心拍数Ｖｓ（ｔ）を求めると共に、その時点で心拍測定センサ１８から入力されている測定心拍数Ｖｍ（ｔ）を検出し、初期の場合と同様に、それら心拍数の差分ΔＶ（ｔ）＝Ｖｓ（ｔ）−Ｖｍ（ｔ）を求める（Ｓ２８〜Ｓ３１）。
また、ＲＡＭ１２の再生速度算出用テーブルを参照して前記差分ΔＶ（ｔ）に対応する再生速度Ｒｖ（ｔ）を求め、テンポを増減することによりその再生速度Ｒｖ（ｔ）を圧縮音源データと選択出画ピクチャの新たな読み出し速度として設定する（Ｓ３２，Ｓ３３→Ｓ２７）。
【００４６】
次に、再生する音楽の再生速度が変更された場合に、その音楽のリズム位置に合わせて動画ピクチャ中から選択されたピクチャを表示させる方法について図１１乃至図１３を用いて説明する。
図１１は、実際にストレージ１３から読み込まれた音楽付き動画の符号化データが、デコーダ２３のサブセットであるＤｅｍｕｘモジュール１４，オーディオデコード部１５及びビデオデコード部１６において音声データと動画データに分けられ、それぞれデコードされ、更に、音声データが心拍測定センサ１７０からの心拍数のデータに基づき再生速度が制御されると共に、動画データが音声データに同期して、それぞれオーディオ出力Ｉ／Ｆ ２０ａ および ビデオ出力Ｉ／Ｆ １９ａ から出力されるまでのデコーダ２３でのデータの流れ及びデータ参照方向と、ＣＰＵ１０からの制御信号の方向を示した図である。
【００４７】
デコーダ２３は、実施例１と同様であるため説明は省略する。
ＣＰＵ１０は、オーディオデコーダ５０１から出力されたデジタル音声信号を解析することでリズム位置を検出するリズム位置検出部５２１と、リズム位置検出部５２１で検出されたリズム位置情報とオーディオデコーダ５０１で検出されたＰＴＳ情報とからリズム位置時刻情報を算出するリズム時刻算出部５２２と、ビデオデコーダ５０４から出力された動画ピクチャから読み出したピクチャフレームのそれぞれの位置のＰＴＳ情報及びリズム時刻算出部５２２で算出されたリズム位置時刻情報に基づき動画ピクチャからリズム位置に最も近いピクチャを切り出す機能及びピクチャのＰＴＳ情報をピクチャ選択に使用したリズム位置時刻情報に書き換える機能を持つ出画ピクチャ選択部５２３とを有する。
【００４８】
更に、ＣＰＵ１０は、心拍測定センサ入力Ｉ／Ｆ１８ａから入力した心拍測定センサ１７０からの測定心拍数Ｖｍ（ｔ）と、ＲＡＭ１２の運動スケジュールテーブルから求めた基準心拍数Ｖｓ（ｔ）とを比較する心拍数比較部５３１と、心拍数比較部５３１で求められた差分ΔＶ（ｔ）に基づいてＲＡＭ１２の再生速度算出用テーブルから再生速度Ｒｖ（ｔ）を求め、その再生速度Ｒｖ（ｔ）を圧縮音源データと選択出画ピクチャの新たな読み出し速度として設定する再生速度制御部５３２とを有する。
【００４９】
図１２は、音源の再生速度が変更された際に、出力音声及び出画ピクチャの実際の出画時間を示す図である。
図１２（Ａ），（Ｂ）は、実施例１で説明した音楽付き動画の符号化データが持つ本来の再生速度でのデジタル音源ストリームのリズム位置ｒｔ１、ｒｔ２とスライド動画ピクチャストリームの出画ピクチャ３，６とを示している。
図１２（Ｃ），（Ｄ）は、心拍測定センサからの心拍数に基づき再生速度制御部５３２でテンポを増減することにより再生速度を制御した状況を概略的に示すものである。ここで、図１２(Ｃ)は、再生速度の時間変化をグラフ化したものであり、テンポが０の点は、音楽付き動画の符号化データが持つ本来のテンポである標準テンポを示す。
図１２（Ｂ），（Ｄ）における○印は、デジタル音源ストリームにおけるアクセスユニットを表し、○印の幅は、各アクセスユニットにおける時間量の変化を視覚的に表したものである。
【００５０】
デジタル音源ストリームの再生速度が変更された際に、実際の再生速度Ｒｖ（ｉ）と本来の再生速度Ｒｖｓとの差に伴い、時間軸の伸縮が発生する。これにより、デジタル音源ストリームのＰＴＳ情報と選択出画ピクチャのＰＴＳ情報は、本来ＳＴＣ値軸上で出力したい時刻とずれてしまうことになる（Ｘ１，Ｘ２）。
そこで、そのずれ（Ｘ１，Ｘ２）を考慮し、出力音声及び出画ピクチャのＰＴＳ情報であるｒｔ１，ｒｔ２を実際の出力時刻に変更する処理を行う。
具体的には、再生速度Ｒｖ（ｉ）と本来の再生速度Ｒｖｓとの差［Ｒｖ（ｉ）−Ｒｖｓ］に基づいて、これから再生するデジタル音源ストリームと選択出画ピクチャのＳＴＣ軸上でのＰＴＳ情報のシフト量（Ｘ１，Ｘ２）を算出し、デジタル音源ストリームのＰＴＳ情報と選択出画ピクチャのＰＴＳ情報とを、それぞれシフトさせた位置のＳＴＣ値に書き換える。
すなわち、Ａ’点のＰＴＳ情報は｜ｒｔ１−Ｘ１｜、Ｂ’点のＰＴＳ情報は｜ｒｔ２−Ｘ２｜に書き換えられる。
【００５１】
次に、実施例２の動作について図１３を用いて説明する。
図１３は、音源の再生速度が変更された際のスライドショー機能でのデータ処理手順を示すフローチャートである。
ステップ２１（Ｓ２１）からステップ３０（Ｓ３０）までの手順は、実施例１のステップ１（Ｓ１）からステップ１０（Ｓ１０）までの手順と同様であるためここでは説明を省略する。
変更すべき再生速度Ｒｖ（ｉ）が求められると、ＣＰＵ１０は、再生速度Ｒｖ（ｉ）と本来の再生速度Ｒｖｓとの差［Ｒｖ（ｉ）−Ｒｖｓ］に基づいて、再生速度制御部５３２によってデジタル音源ストリームのＰＴＳ情報と選択出画ピクチャＰＴＳ情報の時刻を変更する。これによって、再生速度Ｒｖ（ｉ）での速度制御を実現する（Ｓ３１）。
そして、オーディオバッファ５０２及びビデオバッファ５０５において、変更されたＰＴＳ情報とＳＴＣ発生器５１１で生成されたＳＴＣ値とが一致した際にデジタル音源ストリームとスライド動画ピクチャストリームを同期させて出力する（Ｓ３２）。
【００５２】
以上より、デジタル音源ストリームのＰＴＳ情報と選択出画ピクチャのＰＴＳ情報は、再生速度変更部５３３によって、逐次変化する再生速度Ｒｖ（ｉ）に対応して随時書き換えられていく。これにより、逐次変化する再生速度Ｒｖ（ｉ）に追従して圧縮音源データと選択出画ピクチャが読み出されることになり、イヤホン１６０から出力される音楽はその再生速度の変化に伴ってリズムも変化するが、ディスプレイユニット２００の液晶表示部２０２には再生される音楽のリズム位置（強拍位置）になる度に正確なタイミングで選択出画ピクチャが切り替わって順次表示されることになる。
【００５３】
（実施例３) 
次に、心拍測定センサ１７０からの心拍数のデータに基づき再生速度を制御する場合のスライドショー機能による動画表示装置の別の実施例について図１３を用いて説明する。
【００５４】
ところで、ＳＴＣは音楽と映像の再生開始時刻制御だけでなく他の制御における基準値としても使用される。このため、安易にＳＴＣのクロック速度を変化させることは制御上問題が多い。たとえば、ＳＴＣは符号化圧縮動画データストリームのデコード開始時刻の参照値でもあるため、もしＳＴＣのクロック速度が非常に速くなっていた場合などは、映像の出力に対して、ビデオデコードが追いつかなくなる可能性などがある。
そこで、ＳＴＣとは別の信号を再生に利用するクロックとした実施例を以下に示す。
【００５５】
図１４は、実際にストレージ１３から読み込まれた音楽付き動画の符号化データが、デコーダ２３のサブセットであるＤｅｍｕｘモジュール１４，オーディオデコード部１５及びビデオデコード部１６において音声データと動画データに分けられ、それぞれデコードされる。更に、音声データが心拍測定センサ１７０からの心拍数のデータに基づき再生速度が制御されると共に、動画データが音声データに同期して、それぞれオーディオ出力Ｉ／Ｆ ２０ａ および ビデオ出力Ｉ／Ｆ １９ａ から出力されるまでのデコーダ２３でのデータの流れ及びデータ参照方向と、ＣＰＵ１０からの制御信号の方向を示した図である。
【００５６】
デコーダ２３は、実施例１と同様であるため説明は省略する。
ＣＰＵ１０は、オーディオデコーダ５０１から出力されたデジタル音声信号を解析することでリズム位置を検出するリズム位置検出部５２１と、リズム位置検出部５２１で検出されたリズム位置情報とオーディオデコーダ５０１で検出されたＰＴＳ情報とからリズム位置時刻情報を算出するリズム時刻算出部５２２と、ビデオデコーダ５０４から出力された動画ピクチャから読み出したピクチャフレームのそれぞれの位置のＰＴＳ情報及びリズム時刻算出部５２２で算出されたリズム位置時刻情報に基づき動画ピクチャからリズム位置に最も近いピクチャを切り出す機能及びピクチャのＰＴＳ情報をピクチャ選択に使用したリズム位置時刻情報に書き換える機能を持つ出画ピクチャ選択部５２３とを有する。
【００５７】
更に、ＣＰＵ１０は、心拍測定センサ入力Ｉ／Ｆ１８ａから入力した心拍測定センサ１７０からの測定心拍数Ｖｍ（ｔ）と、ＲＡＭ１２の運動スケジュールテーブルから求めた基準心拍数Ｖｓ（ｔ）とを比較する心拍数比較部５３１と、心拍数比較部５３１で求められた差分ΔＶ（ｔ）に基づいてＲＡＭ１２の再生速度算出用テーブルから再生速度Ｒｖ（ｔ）を求める再生速度変更部５３３とを有する。
【００５８】
更に、ＣＰＵ１０は、再生速度変更部５３３で求められた再生速度Ｒｖ（ｔ）に基づき、ＳＴＣに変わる圧縮音源データと選択出画ピクチャの読み出し速度を制御するＰＴＣ（再生時刻基準値：Ｐｒｅｓｅｎｔａｔｉｏｎ  Ｔｉｍｅ  Ｃｌｏｃｋ）値を生成するＰＴＣ発生部５３４を有する。
このＰＴＣ発生部５３４は、ＳＴＣ発生部５１１と同様に、自らクロック発生器を保持しており、他のモジュールの動作に関係なく一定の間隔でクロックを刻むことが出来るものである。また、ＰＴＣ発生部５３４内のクロック発生器は、その出力クロック速度を外部入力によって変更することが出来る可変クロック発生器である。
以下説明のため、ＰＴＣに関連する値について次のように定義する。ＰＴＣ値とは、ある瞬間のＰＴＣの値のことである。また、ＰＴＣのクロック速度とは、所定のＰＴＣ値間におけるＰＴＣの更新速度のことで、ＰＴＣのクロック速度が速いとは、ＰＴＣ値の更新が早いことであり、ＰＴＣのクロック速度が遅いとは、ＰＴＣ値の更新が遅いことである。
なお、ＰＴＣ値の初期値としては、ＳＴＣ発生部５１１で生成されたＳＴＣ値の初期値を受信して使用する。これにより、ＳＴＣ発生部５１１とＰＴＣ発生部５３４は、図６に示す処理開始点において同期される。
【００５９】
図１５は、音源の再生速度が変更された際に出画ピクチャを選択する方法を説明する図である。
図１５（Ａ），（Ｂ）は、図１２（Ａ），（Ｂ）と同様、実施例１で説明した音楽付き動画の符号化データが持つ本来の再生速度でのデジタル音源ストリームのリズム位置ｒｔ１、ｒｔ２とスライド動画ピクチャストリームの出画ピクチャ３，６とを示している。
図１５（Ｃ），（Ｄ）は、心拍測定センサからの心拍数に基づき再生速度制御部５３２でテンポを増減することにより再生速度を制御した状況を概略的に示すものである。ここで、図１２(Ｃ)は、再生速度の時間変化をグラフ化したものであり、テンポが０の点は、音楽付き動画の符号化データが持つ本来のテンポである標準テンポを示す。
図１５（Ｂ），（Ｄ）における○印は、デジタル音源ストリームにおけるアクセスユニットを表し、○印の幅は、各アクセスユニットにおける時間量の変化を視覚的に表したものである。
【００６０】
デジタル音源ストリームの再生速度が変更された際、ＰＴＣ発生部５３４はそのクロック速度自体を変更する。すなわち、図１５（Ｃ）に示すテンポ増減に同調する形でＰＴＣ発生部５３４のクロック速度が変化する。結果として、図１５（Ｄ）の○印の伸縮自体がＰＴＣのクロック速度の伸縮を示している。
これにより、Ａ´点及びＢ´点のＰＴＳ情報を返ることなく、実際の出力時間を制御することが可能となる。
【００６１】
次に、実施例３の動作について図１６を用いて説明する。
ステップ４１（Ｓ４１）からステップ５０（Ｓ５０）までの手順は、実施例１のステップ１（Ｓ１）からステップ１０（Ｓ１０）までの手順と同様であるためここでは説明を省略する。
実施例３では、心拍数比較部５３１における測定心拍数Ｖｍ（ｔ）と基準心拍数Ｖｓ（ｔ）との比較結果に基づき、再生速度変更部５３３で再生速度Ｒｖ（ｉ）が求められる。
再生速度Ｒｖ（ｉ）が求められると、再生速度変更部５３３は再生速度Ｒｖ（ｉ）に応じてＰＴＣ発生部５３４においてＰＴＣのクロック速度を変化させる（Ｓ５１）。
そして、オーディオバッファ５０２及びビデオバッファ５０５において、変更されたＰＴＣ値とＰＴＳ情報とが一致した際にデジタル音源ストリームとスライド動画ピクチャストリームを同期させて出力する（Ｓ５２）。
【００６２】
以上により、ＰＴＣ発生部５３４において発生されるＰＴＣのクロック速度は、再生速度変更部５３３によって、逐次変化する再生速度Ｒｖ（ｉ）に対応して随時変更されていく。これにより、逐次変化する再生速度Ｒｖ（ｉ）に追従して圧縮音源データと選択出画ピクチャが読み出されることになり、イヤホン１６０から出力される音楽はその再生速度の変化に伴ってリズムも変化するが、ディスプレイユニット２００の液晶表示部２０２には再生される音楽のリズム位置（強拍位置）になる度に正確なタイミングで選択出画ピクチャが切り替わって順次表示されることになる。
【００６３】
このようにしてシステム制御用の基準値であるＳＴＣ値と、再生制御用の基準値であるＰＴＣ値とを別制御とすることで、ＳＴＣのクロック速度を変更することなく再生速度Ｒｖ（ｉ）を制御することができる。但し、再生速度Ｒｖ（ｉ）を制御する場合、同時刻においてＰＴＣ値はＳＴＣ値に対し十分に遅延された値を持つことが望ましい。
これは、例えば前述のようにＰＴＣのクロック速度が非常に速い場合などには、オーディオデコーダ５０１及びビデオデコーダ５０４における各種の処理（Ｓ４〜Ｓ１０，Ｓ２４〜Ｓ３０，Ｓ４４〜Ｓ５０の処理）が間に合わず、結果としてオーディオバッファ５０２及びビデオバッファ５０５へのデータ供給が追いつかなくなり、バッファアンダーフローを起こす可能性があるためである。またこの際、オーディオバッファ５０２、ビデオバッファ５０５は、十分なメモリ量が確保されることが必要である。
【００６４】
逆に言えば、オーディオデコード部１５及びビデオデコード部１６は、オーディオバッファ５０２及びビデオバッファ５０５のバッファ残量と現在の再生速度Ｒｖ（ｉ）を監視し、オーディオバッファ５０２及びビデオバッファ５０５がバッファアンダーフロー及びバッファオーバーフローなどを起こさないようなデコード制御を行う必要がある。これは、ある程度の間隔でもってＳＴＣ値のクロック速度を可変させることなどで可能となる。
【００６５】
尚、以上の実施例においては、ＳＴＣ発生部５１１におけるＳＴＣ値の初期値の設定は、Ｄｅｍｕｘモジュール１４で検出されたＳＣＲ及びＰＣＲに基づいて行ったが、音楽付き動画の符号化データの形式によっては、オーディオデコーダ５０１で検出されたＰＴＳ情報や、ビデオデコード部１６で検出されたＰＴＳ情報に基づいて生成することもできる。
【００６６】
尚、以上の実施例においては、再生速度Ｒｖ（ｉ）が可変制御される場合について説明したが、心拍測定センサ１７０やディスプレイユニット２００への接続を行わずに再生ユニット１００を通常の携帯型の動画再生機器として利用し、デコードした圧縮音源データを標準的な再生速度Ｒｖｓで再生させながら、選択出画ピクチャをリズム位置で切り替えて順次表示させることもできる。
即ち、いずれにしても、音楽付き動画の符号化データを用いて、その再生音楽のリズム位置で動画ピクチャ中から選択されたピクチャを正確なタイミングで表示させるスライドショー機能を実現できる。
【００６７】
また、以上の実施例では、エアロバイク（登録商標）３００に付属したディスプレイユニット２００に画像を表示し、運動者４００が運動を実行する方法について説明したが、ディスプレイユニット２００としてヘッドマウントディスプレイ等の人体に装着可能な画像表示装置を用い、再生ユニット１００と共に体に装着することにより、有酸素運動用器具を用いることなく、様々な場所で希望する時間に快適に運動を行うこともできる。
【００６８】
また、以上の実施例では、オーディオデコード部１５及びビデオデコード部１６のＡＤＡ回路５０３及びＶＤＡ回路５０６からデジタルデータをアナログデータに変換して出力しているが、ＡＤＡ回路５０３及びＶＤＡ回路５０６を用いることなくデジタルデータのまま出力することが可能であることは言うまでもない。
【００６９】
また、前述のようにＡＤＡ回路５０３及びＶＤＡ回路５０６を用いることなくデジタルデータのまま出力する場合、ＭＵＸ回路を別途用意することで、デジタル音源ストリームとスライド動画ピクチャストリームを再び多重化し、ＭＰＥＧストリームとしてデジタル出力することも可能であることは言うまでもない。
【００７０】
また、以上の実施例では、ＰＴＣ値の初期値としてＳＴＣ発生部５１１で生成されたＳＴＣ値の初期値を受信して使用するとしたが、ＳＴＣ発生部５１１の初期化値と同期さえ取れれば、Ｄｅｍｕｘモジュール１４から出力されたＳＣＲ，ＰＣＲ及びオーディオデコーダ５０１もしくはビデオデコーダ５０４から出力されたＰＴＳ情報のいずれか一つ以上の値を用いて初期化してもよい。
【００７１】
また、以上の実施例では、音楽付き動画の符号化データの符号化の方式としてＭＰＥＧを利用した場合について説明したが、ＭＰＥＧに限らずＨ．２６４等の別の符号か方式を用いてもよい。
【図面の簡単な説明】
【００７２】
【図１】本発明の実施形態に係る動画再生装置及び動画表示装置の外観図である。
【図２】本発明の動画再生装置の利用形態として、エアロバイク（登録商標）に付属させた場合を示す図である。
【図３】本発明の携帯型動画再生装置（再生ユニット）のシステム回路図である。
【図４】本発明の再生ユニットの外観図である。
【図５】本発明の第１の実施例における再生ユニット内のデータの流れを示すブロック図である。
【図６】本発明の第１の実施例における再生ユニットのスライドショー機能でのデータ処理手順を示すフローチャートである。
【図７】本発明の圧縮音源データの信号波形におけるリズム位置を示すと共に、そのリズム位置の時刻情報を算出する場合の参考図である。
【図８】本発明の出画ピクチャの選択とＰＴＳ情報の書き換えに係る参考図である。
【図９】本発明の再生ユニットにおけるスライドショー機能での再生速度設定手順を示すフローチャートである。
【図１０】本発明の再生ユニットが格納している運動スケジュールテーブルと再生速度算出用テーブルの内容を示すグラフである。
【図１１】本発明の第２の実施例における再生ユニット内のデータの流れを示すブロック図である。
【図１２】本発明の第２の実施例の再生ユニットにおけるスライドショー機能での再生速度が変更された際の出画ピクチャの選択とＰＴＳ情報の書き換えに係る参考図である。
【図１３】本発明の第２の実施例の再生ユニットにおけるスライドショー機能でのデータ処理手順を示すフローチャートである。
【図１４】本発明の第３の実施例における再生ユニット内のデータの流れを示すブロック図である。
【図１５】本発明の第３の実施例の再生ユニットにおけるスライドショー機能での再生速度が変更された際の出画ピクチャの選択と出画ピクチャの出力に係る参考図である。
【図１６】本発明の第３の実施例における再生ユニットにおけるスライドショー機能でのデータ処理手順を示すフローチャートである。
【符号の説明】
【００７３】
１０…ＣＰＵ、１１…ＲＯＭ、１２…ＲＡＭ、１３…ストレージ、１４…Ｄｅｍｕｘモジュール、１５…オーディオデコード部、１６…ビデオデコード部、１７…操作部、１８…信号入力用コネクタ、１８ａ…センサ信号入力インターフェイス、１９…ビデオ出力用コネクタ、１９ａ…ビデオ出力インターフェイス、２０…オーディオ出力用コネクタ、２０ａ…オーディオ出力インターフェイス、２１…データ入力用コネクタ、２１ａ…データ入力インターフェイス、２２，２０２…液晶表示部、２３…デコーダ、３１,３２,３３…表示エリア、３５…動作指示部、３６…情報入力部、１００…再生ユニット、１５０…ケーブル、１６０…イヤホン、１７０…心拍測定センサ、２００…ディスプレイユニット、２０１…テーブル部、３００…エアロバイク（登録商標）、４００…運動者、５０１…オーディオデコーダ、５０２…オーディオバッファ、５０３…オーディオＤ／Ａ回路（ＡＤＡ回路）、５０４…ビデオデコーダ、５０５…ビデオバッファ、５０６…ビデオＤ／Ａ回路（ＶＤＡ回路）、５１１…ＳＴＣ発生部、５２１…リズム位置検出部、５２２…リズム時刻算出部、５２３…出画ピクチャ選択部、５３１…心拍数比較部、５３２…再生速度制御部、５３３…再生速度変更部、５３４…ＰＴＣ生成部、５３５…ＰＴＣ発生部
【図１】
2008295037.tif 000003
【図２】
2008295037.tif 000004
【図３】
2008295037.tif 000005
【図４】
2008295037.tif 000006
【図５】
2008295037.tif 000007
【図６】
2008295037.tif 000008
【図７】
2008295037.tif 000009
【図８】
2008295037.tif 000010
【図９】
2008295037.tif 000011
【図１０】
2008295037.tif 000012
【図１１】
2008295037.tif 000013
【図１２】
2008295037.tif 000014
【図１３】
2008295037.tif 000015
【図１４】
2008295037.tif 000016
【図１５】
2008295037.tif 000017
【図１６】
2008295037.tif 000018